(57)【要約】【課題】検査環境に応じてログイン対象を設定する。【解決手段】コントロールユニット４のＣＰＵ７は、リモコン１８から入力されるユーザ名及びパスワードとＳＲＡＭ１０に格納されているユーザ名及びパスワードとを照合する認証照合手段である認証照合機能と、ＳＲＡＭ１０に格納されているユーザ設定機能フラグによりログインを許可するユーザを規定すると共に登録ユーザの編集を制御するログイン対象許可手段である登録ユーザ設定機能を有している。【選択図】図１
2006204620.tif 000002
【特許請求の範囲】
【請求項１】
複数の登録ユーザをログイン対象としてシステムログインできる、画像を用いて計測を行う内視鏡装置において、
認証情報を入力する認証情報入力手段と、
システムログイン時のログイン対象を複数のモードにより規定するログインモード情報及び前記認証情報と照合するための認証確認情報を格納したログイン情報格納手段と、
前記認証情報と前記認証確認情報を照合する認証照合手段と、
前記ログインモード情報が第１のログインモード情報のときは認証照合手段の照合結果に基づくログイン対象にシステムログインを許可し、前記ログインモード情報が第２のログインモード情報のときは任意のログイン対象にシステムログインを許可するログイン対象許可手段と
を備えたことを特徴とする内視鏡装置。
【請求項２】
前記ログインモード情報が第２のログインモード情報のとき前記認証確認情報の編集を許可する
ことを特徴とする請求項１に記載の内視鏡装置。
【請求項３】
前記画像を記録する画像記録手段と、
前記前記ログインモード情報が第１のログインモード情報のとき、前記画像記録手段が記録する前記画像に前記認証確認情報を重畳する認証確認情報重畳手段と
を備えたことを特徴とする請求項１に記載の内視鏡装置。
【発明の詳細な説明】
【技術分野】
【０００１】
本発明は、画像を用いて計測を行う内視鏡装置に関する。
【背景技術】
【０００２】
例えば特開２００２−３４９０７号公報には、記録する画像データファイルに対して改ざん検知用のコードを作成し、画像データファイルと改ざん検知用のコードとを関連付けて管理する管理手段を具備する内視鏡画像記録装置が提案されている。
【０００３】
また、特開２００４−１３５９６８号公報には、内視鏡装置に接続しネットワーク通信を行うサーバーを有する制御部と、ネットワーク接続可能で内視鎗装置を遠隔操作する機能を有する外部端末を有する内視鏡制御システムにおいて、前記制御部と外部端末とのネットワーク接続をＩＤ、パスワードにより接続を排他的に制御する内視鏡制御システムが提案されている。
【特許文献１】特開２００２−３４９０７号公報
【特許文献２】特開２００４−１３５９６８号公報
【発明の開示】
【発明が解決しようとする課題】
【０００４】
しかしながら、特開２００２−３４９０７号公報は、内視鏡画像記録装置で記録した画像に対して改ざん防止するものであって、内視鏡を使って検査する検査者が適切な教育を受けた検査者か、あるいは当該検査を行うに適切な資格の保有者であるかについては保証されない。
【０００５】
また、特開２００４−１３５９６８号公報は、内視鏡に接続された制御部と、ネットワークを介して内視鏡を遠隔操作する外部端末間のネットワーク接続に対して認証するものである。この場合であっても内視鏡を検査部位に設定する検査者が、内視鏡検査に対する上述のような教育・資格の保有者であることは保証されず、たとえば、ジェットエンジンの検査において、適切な検査用アクセスボートから挿入しているか、あるいは検査用アクセスポートは内視鏡の挿入部径、挿入部先端に付ける光学アダプタの視野角、被写界深度など適切な内視鏡装置を実現するための環境を用いて検査しているかは保証されない。
【０００６】
また、内視鏡ユーザの求める装置に対する認証レベルはさまざまであり、特定の検査者にのみ内視鏡装置の使用を許可する認証手段を用いた場合、厳しく検査者を管理する必要のない内視鏡ユーザにとっては非常に煩雑な操作を必要とする装置になってしまう．
本発明は、上記事情に鑑みてなされたものであり、検査環境に応じてログイン対象を設定することのできる内視鏡装置を提供することを目的としている。
【課題を解決するための手段】
【０００７】
本発明の内視鏡装置は、
複数の登録ユーザをログイン対象としてシステムログインできる、画像を用いて計測を行う内視鏡装置において、
認証情報を入力する認証情報入力手段と、
システムログイン時のログイン対象を複数のモードにより規定するログインモード情報及び前記認証情報と照合するための認証確認情報を格納したログイン情報格納手段と、
前記認証情報と前記認証確認情報を照合する認証照合手段と、
前記ログインモード情報が第１のログインモード情報のときは認証照合手段の照合結果に基づくログイン対象にシステムログインを許可し、前記ログインモード情報が第２のログインモード情報のときは任意のログイン対象にシステムログインを許可するログイン対象許可手段と
を備えて構成される。
【発明の効果】
【０００８】
本発明によれば、検査環境に応じてログイン対象を設定することができるという効果がある。
【発明を実施するための最良の形態】
【０００９】
以下、図面を参照しながら本発明の実施例について述べる。
【実施例１】
【００１０】
図１ないし図２１は本発明の実施例１に係わり、図１は計測用内視鏡装置の構成を示す構成図、図２は図１の映像信号処理回路の構成を示すブロック図、図３は図１の音声信号処理回路の構成を示すブロック図、図４は図１のＳＲＡＭのメモリマップを示す図、図５は図１のＰＣによるコントロールユニットの設定処理の流れを示すフローチャート、図６は図５の処理でＰＣ上に展開されるユーザ情報設定画面を示す図、図７は図１のコントロールユニットにおけるユーザ認証処理の流れを示すフローチャート、図８は図７の第１モード認証処理でＬＣＤ上に展開されるユーザ選択画像を示す図、図９は図７の第１モード認証処理の流れを示すフローチャート、図１０は図９のユーザログイン処理で展開されるログインウインドウを示す図、図１１は図９のユーザログイン処理の流れを示すフローチャート、図１２は図７の第２モード認証処理でＬＣＤ上に展開されるユーザ選択画像を示す図、図１３は図７の第２モード認証処理の流れを示すフローチャート、図１４は図１３の新規ユーザ登録処理で展開される新規ユーザ登録ウインドウを示す図、図１５は図１３の新規ユーザ登録処理の流れを示すフローチャート、図１６は図１３のユーザ選択処理で展開されるユーザ選択ウインドウを示す図、図１７は図１３のユーザ選択処理の流れを示すフローチャート、図１８は第２モードのシステム動作において認証された登録ユーザのみに解放された機能の一例を説明する第１の図、図１９は第２モードのシステム動作において認証された登録ユーザのみに解放された機能の一例を説明する第２の図、図２０は第２モードのシステム動作において認証された登録ユーザのみに解放された機能の一例を説明する第３の図、図２１は第２モードのシステム動作において認証された登録ユーザのみに解放された機能の一例を説明する第４の図である。
【００１１】
図１に示すように本発明の実施例１の計測用内視鏡装置１は、内視鏡２、液晶モニタ（以下、ＬＣＤと記載）３、コントロールユニット４及び認証情報入力手段であるリモートコントローラ（以下、リモコンと略記）１８を主に備えて構成される。
【００１２】
内視鏡２は細長で可撓性の挿入部５を有し、観察時に必要な照明光を供給する光源装置（不図示）、挿入部５の先端に設けられた例えばＣＣＤからの撮像信号から映像信号を生成する処理を行うカメラコントロールユニット（不図示）、前記挿入部５を構成する湾曲部２２を湾曲させる湾曲装置（不図示）を備えた挿入部駆動ユニット６を介してコントロールユニット４に接続される。
【００１３】
コントロールユニット４内には、音声信号処理回路１７、前記映像信号が入力される映像信号処理回路１６、ＰＣカードインターフェイス（以下、ＰＣカードＩ／Ｆと記載）１４、ＵＳＢインターフェイス（以下、ＵＳＢ Ｉ／Ｆと記載）１５及びＲＳ−２３２Ｃインターフェイス（以下、ＲＳ−２３２Ｃ  Ｉ／Ｆと記載）１３等と、これら各種機能を主要プログラムに基づいて実行させて動作制御をシステム制御部１１とがシステムバス１２を介して相互に接続されている。
【００１４】
このシステム制御部１１は、システム制御を行うＣＰＵ７と、このＣＰＵ７の動作プログラム等を格納したＲＯＭ８と、ＣＰＵ７の作業エリアに利用されたり必要なデータの格納等に利用されるメモリとしてのＲＡＭ９と、後述するユーザ情報を格納するログイン情報格納手段であるＳＲＡＭ１０とを備え、これらはシステムバス１２に接続されている。
【００１５】
なお、ＳＲＡＭ１０は、図示はしないがバッテリ等によりバックアップされており、コントロールユニット４の電源のＯＦＦ時に於いてもユーザ情報を保持できるようになっている。
【００１６】
前記ＲＳ−２３２Ｃ  Ｉ／Ｆ１３には、前記挿入部駆動ユニット６、挿入部駆動ユニット６等の制御及び動作指示を行う前記リモコン１８がそれぞれ接続されている。このことにより、リモコン１８の操作に基づいて挿入部駆動ユニット６を動作制御する際に必要な通信が行われる。
【００１７】
前記ＵＳＢ  Ｉ／Ｆ１５は、前記コントロールユニット４とパーソナルコンピュータ（以下、ＰＣと記載）２０とを電気的に接続するためのインターフェイスである。このＵＳＢ  Ｉ／Ｆ１５を介して前記コントロールユニット４とＰＣ２０とを接続することによって、ＰＣ２０側で内視鏡画像の表示指示や計測時における画像処理などの各種の指示制御を行うことが可能になるとともに、コントロールユニット４とＰＣ２０との間での各種の処理に必要な制御情報や、データの入出力を行うことが可能になる。
【００１８】
また、前記ＰＣカードＩ／Ｆ１４には、ＰＣＭＣＩＡメモリカード１９やコンパクトフラッシュ（登録商標）メモリカード（不図示）等の記録媒体であるいわゆるメモリカードが自由に着脱されるようになっている。
【００１９】
前記メモリカード１９を前記ＰＣカードＩ／Ｆ１４に装着することにより、前記ＣＰＵ７による制御によって、このメモリーカード１９に記憶されている制御処理情報や画像情報等のデータの取り込み、あるいは制御処理情報や画像情報等のデータのメモリカード１９への記録も行える。
【００２０】
前記映像信号処理回路１６では、前記挿入部駆動ユニット６から供給された内視鏡画像（映像信号）とグラフィック処理により生成された操作画像とを合成した合成画像を表示するように、挿入部駆動ユニット６からの映像信号をＣＰＵ７の制御により生成する操作画像に基づく表示信号との合成処理や、前記ＬＣＤ３の画面上に表示するのに必要な処理等を施してＬＣＤ３に供給する。
【００２１】
また、この映像信号処理回路１６では、単に内視鏡画像、あるいは操作画像等の画像を単独で表示するための処理を行うことも可能である。したがって、ＬＣＤ３の画面上には、内視鏡画像、操作メニュー画像、内視鏡画像と操作メニュー画像との合成画像等が表示される。
【００２２】
前記音声信号処理回路１７には、マイク２１によって集音されて生成された、メモリカード１９等の記録媒体に記録する音声信号、メモリカード１９等の記録媒体の再生によって得られた音声信号、あるいはＣＰＵ７によって生成処理された音声信号が供給される。この音声信号処理回路１７では、供給された音声信号を再生するのに必要な増幅処理等の処理を施してスピーカ２２に出力する。このことによって、スピーカ２２から音声が出力される。
【００２３】
映像信号処理回路１６は、図２に示すように、前記挿入部駆動ユニット６から供給される映像信号をデジタル信号に変換するＡ／Ｄ変換部３１と、Ａ／Ｄ変換部３１から出力される内視鏡画像データに対して圧縮及び解凍処理を施す圧縮・解凍部３２と、圧縮・解凍部３２により内視鏡画像データを格納するフレームメモリ３３と、システムバス１２を介したＣＰＵ７の制御により操作メニュー等のグラフィック画像データを生成するグラフィック信号処理部３４と、圧縮・解凍部３２からの内視鏡画像データにグラフィック信号処理部３４で生成されたグラフィック画像データをスーパーインポーズして合成画像データを生成するスーパーインポーズ部３５と、スーパーインポーズ部３５からの合成画像データをアナログ信号に変換しＬＣＤ３に合成画像を表示させるＤ／Ａ変換部３６とを備えて構成される。
【００２４】
音声信号処理回路１７は、図３に示すように、マイク２１により集音された音声信号をデジタル信号に変換するＡ／Ｄ変換部４１と、Ａ／Ｄ変換部４１からの音声データを符号化及び復号化してシステムバス１２を介して例えばメモリカード１９とデータの送受を行う音声符号化／復号化部４２と、音声符号化／復号化部４２で復号化された音声データをアナログ信号に変換しスピーカ２２に出力するＤ／Ａ変換部４３とを備えて構成される。
【００２５】
このように構成された本実施例の作用について説明する。
【００２６】
システム制御部１１のＳＲＡＭ１０には、図４に示すような各種パラメータ及びフラグからなるユーザ情報が格納される。詳細には、ユーザ情報は、現在コントロールユニット４にログインしているユーザに対応して選択された、例えば５０人分に割り当てられるユーザＩＤ番号と、コントロールユニット４へのログインの認証を行うための、システムログイン時の認証確認情報としてのユーザ毎のユーザ名（第１ユーザ名〜第５０ユーザ名）及びパスワード（第１パスワード名〜第５０パスワード名）と、コントロールユニット４でのユーザ登録等の許可／不許可等を指定するシステムログイン時のログインモード情報としてのユーザ設定機能フラグ等とがＳＲＡＭ１０に格納されている。
【００２７】
コントロールユニット４とＰＣ２０とが接続されると、図５に示すように、ＰＣ２０側では、ステップＳ１にてＳＲＡＭ１０に格納されているユーザ情報（図４参照）をコントロールユニット４に要求する。そして、ステップＳ２にてコントロールユニット４からユーザ情報を受信すると、ステップＳ３にてユーザＩＤ番号、ユーザ名、パスワード等のユーザ情報の各項目設定を行い、ステップＳ４にて項目設定したユーザ情報をコントロールユニット４に送信して処理を終了する。
【００２８】
このようにＰＣ２０では、コントロールユニット４のＳＲＡＭ１０に格納されているユーザ情報を編集したり新規追加することができるようになっている。
【００２９】
詳細には、コントロールユニット４とＰＣ２０とが接続されると、ＰＣ２０のモニタには、図６に示すように、ユーザ情報設定画面５０が表示される。このユーザ情報設定画面５０は、ユーザ設定の編集が可能なユーザ編集権（ログインモード情報）を設定するユーザ編集権設定エリア５１と、項目設定を行う項目設定エリア５２と、コントロールユニット４に対してユーザ情報の要求を行うユーザ情報要求ボタン５３と、コントロールユニット４にユーザ情報の送信を実行するユーザ情報送信ボタン５４とが設けられている。
【００３０】
ユーザ編集権設定エリア５１においては、「Ｅｄｉｔ（ＰＣ）」のラジオボタンあるいは「Ｅｎａｂｌｅ」のラジオボタンのいずれか一方のみ選択できる。
【００３１】
ユーザ編集権設定エリア５１の「Ｅｄｉｔ（ＰＣ）」のラジオボタンを選択されると、ユーザ編集権がＰＣ２０に設定され、ＰＣ２０でのみ、ユーザ設定の編集（データの更新及びユーザの新規登録、ユーザ削除）が可能となる。このときコントロールユニット４は後述する第１モードのシステム動作となる。
【００３２】
また、ユーザ編集権設定エリア５１の「Ｅｎａｂｌｅ」のラジオボタンを選択されると、ユーザ編集権がコントロールユニット４に設定され、コントロールユニット４でのユーザ設定の編集（データの更新及びユーザの新規登録、ユーザ削除）が可能となる。このときコントロールユニット４は後述する第２モードのシステム動作となる。
【００３３】
ＰＣ２０は前記のステップＳ３にて、ユーザ編集権をユーザ設定機能フラグに反映させてコントロールユニット４に送信する。ユーザ編集権がコントロールユニット４にある場合にはユーザ設定機能フラグ＝０とし、ユーザ編集権がＰＣ２０にある場合にはユーザ設定機能フラグ＝１とする。
【００３４】
なお、コントロールユニット４にユーザ編集権が設定されると、コントロールユニット４は、ユーザ設定の編集（データの更新及びユーザの新規登録、ユーザ削除）が可能になるだけでなく、ユーザ登録されていない（すなわち、ユーザ名及びパスワードの設定が行われていない）ユーザに対して、所定の機能を制限した状態でのシステムへのログインを許可することができる。
【００３５】
図５に戻り、コントロールユニット４とＰＣ２０とが接続されると、コントロールユニット４側では、ステップＳ１１にてＰＣ２０からのユーザ情報の要求を待ち、ＰＣ２０からユーザ情報の要求があると、ステップＳ１２にてＳＲＡＭ１０からユーザ情報を読み出しＰＣ２０に送信する。
【００３６】
そして、ステップＳ１３にてＰＣ２０からの更新されたユーザ情報の受信を待ち、ユーザ情報を受信すると、ステップＳ１４にてＰＣ２０で設定されたユーザ編集権を示すユーザ設定機能フラグを更新してＳＲＡＭ１０に格納した後、ステップＳ１５にてユーザ設定機能フラグを除くユーザ情報、すなわちカレントユーザＩＤ番号、ユーザ名及びパスワード（図４参照）を更新してＳＲＡＭ１０に格納して処理を終了する。
【００３７】
このようにしてＰＣ２０によるユーザ設定がなされると、コントロールユニット４からＰＣ２０が切り離され、コントロールユニット４単体での検査が実行される。
【００３８】
コントロールユニット４のＣＰＵ７は、図示はしないが、リモコン１８から入力されるユーザ名及びパスワードとＳＲＡＭ１０に格納されているユーザ名及びパスワードとを照合する認証照合手段である認証照合機能と、ＳＲＡＭ１０に格納されているユーザ設定機能フラグによりログインを許可するユーザを規定すると共に登録ユーザの編集を制御するログイン対象許可手段である登録ユーザ設定機能を有している。
【００３９】
コントロールユニット４は、検査が開始されると、図７に示すように、ステップＳ２１にてＳＲＡＭ１０に格納されているユーザ編集権を示すユーザ設定機能フラグを確認し、ユーザ設定機能フラグ＝１でコントロールユニット４でのユーザ設定機能がＯＦＦの場合（ユーザ編集権がＰＣ２０にある場合：第１のログインモード）、ステップＳ２２にて操作画像をＬＣＤ３に表示し後述する第１対象認証処理を実行し、ステップＳ２３にて第１対象認証処理での認証結果が「認証済み」かどうか判断し、「認証済み」の場合には、ステップＳ２４にてコントロールユニット４での機能レベルをユーザ認証ＯＮレベルとした第１対象動作モードにてシステムを動作させ処理を終了し、「認証済み」でない場合にはステップＳ２２に戻る。ここで、第１対象とは登録ユーザを指す。
【００４０】
ステップＳ２１にてユーザ設定機能フラグ＝０でコントロールユニット４でのユーザ設定機能がＯＮの場合（ユーザ編集権がコントロールユニット４にある場合：第２のログインモード）、ステップＳ２５にて操作画像をＬＣＤ３に表示し後述する第２対象認証処理を実行し、ステップＳ２６にて第２対象認証処理での認証結果が「認証済み」（新規登録を含む）か「ＡＮＹ」（任意ユーザログイン許可）かどうか判断し、「認証済み」ならばステップＳ２４に進み、「ＡＮＹ」の場合には、ステップＳ２７にてコントロールユニット４での機能レベルをユーザ認証ＯＦＦレベルとした第２対象動作モードにてシステムを動作させ処理を終了する。ここで第２対象とは任意ユーザを指す。
【００４１】
ステップＳ２２の第１対象認証処理では、装置使用者が登録ユーザ（第１対象）である場合のみコントロールユニット４で認証を行い、新規ユーザの登録、およびユーザの削除は予めＰＣ２０を接続して行う（システム管理者のみが可能）。
【００４２】
ステップＳ２５の第２対象認証処理では、任意ユーザ（第２対象）の認証、登録ユーザの選択及び認証、新規ユーザの登録、およびユーザの削除をコントロールユニット４にて行う。
【００４３】
なお、あらかじめユーザ登録しているユーザの場合には、システム起動時にユーザ認証を行う。ただし、任意ユーザ設定でシステム起動することも可能である。また、ユーザ設定機能（ユーザ名、パスワード変更機能等）をメニューから選択することも可能である。
【００４４】
ステップＳ２４でのユーザ認証ＯＮレベルの第１対象動作モードは、計測用内視鏡装置１の装置使用者を厳密に認証した動作モードであって、登録ユーザ（新規登録ユーザを含む：第１対象）以外の任意ユーザのログインを許可しない動作モードであって、コントロールユニット４が有する全ての機能を用いての動作が可能となる。
【００４５】
すなわち、第１対象動作モードは、ユーザ設定機能フラグの設定（ログインモード）に関わらず（ユーザ編集権がＰＣ２０にあるかコントロールユニット４にあるかに関わらず）、計測用内視鏡装置１の装置使用者を登録ユーザのみに限定した動作モードである。なお、ユーザ編集権がコントロールユニット４にある（第２のログインモード）場合には、第２対象認証処理にてコントロールユニット４により新規に登録された新規登録ユーザも登録ユーザ（第１対象）とし計測用内視鏡装置１の使用を許可する。
【００４６】
また、ステップＳ２７でのユーザ認証ＯＦＦレベルの第２対象動作モードのシステム動作では、第２対象認証処理による任意ユーザのログインを許可する。ただし、任意ユーザに対しては所定の機能が制限された状態での動作となる。第２対象動作モードは、装置自体はユーザ認証なしでも使用可能であるが、例えば装置で記録した画像の処理が第１対象動作モードと異なり、第１対象動作モードでは画像データに登録ユーザ情報が付加され管理されるが、第２対象動作モードではユーザ情報が付加されることなく画像データのみが記録される。
【００４７】
なお、システム動作が開始され検査時には、ＬＣＤ３には内視鏡２によるライブ画像が表示される。
【００４８】
つぎに、ステップＳ２２における第１対象認証処理について説明する。
【００４９】
コントロールユニット４は、ユーザ設定機能フラグ＝１（第１のログインモード）で第１対象認証処理に移行すると、図８に示すようなＣＰＵ７の制御により生成される操作画像の１つである、ユーザ選択画像６０をＬＣＤ３に表示する。ユーザ選択画像６０はＳＲＡＭ１０に登録（格納）されているユーザ名に対応した複数のユーザアイコン６１を有しおり、このユーザ選択画像６０により第１対象認証処理が実行される。
【００５０】
第１対象認証処理では、リモコン１８を用いてログインを希望するユーザが自分のユーザアイコン６１を選択することで、図９に示すように、ステップＳ３１にて複数のユーザアイコン６１から所望のユーザアイコン６１を選択される。図８ではユーザ名が「Ｓａｔｏ」というユーザアイコン６１が選択された状態を示し、選択されたユーザアイコン６１はハイライト表示となる。
【００５１】
そして、所望のユーザアイコン６１が選択されると、ステップＳ３２にて後述するユーザログイン処理が実行される。そして、ステップＳ３３にてユーザログイン処理でユーザ認証が完了したかどうかをＲＡＭ９内のユーザ認証完了フラグの状態で判断し、ユーザ認証が完了（ユーザ認証完了フラグ＝１）すると、ステップＳ３４にてカレントユーザＩＤ番号をユーザ認証したユーザのＩＤ番号に更新し処理を終了する。
【００５２】
ステップＳ３３のユーザログイン処理に移行すると、図１０に示すように、ユーザ選択画像６０上にログインウインドウ７０が展開される。ログインウインドウ７０は、パスワードを入力するパスワード入力エリア７１と、パスワードの入力完了を指示するＯＫボタン７２と、パスワード入力を中止するキャンセルボタン７３とを有している。
【００５３】
ユーザログイン処理では、このログインウインドウ７０により、図１１に示すように、ステップＳ３５にてユーザがリモコン１８を用いてログインウインドウ７０で何を入力したかを判断し、ＯＫボタン７２が入力されたならばステップＳ３６に進み、キャンセルボタン７３が入力されたならばステップＳ３９に進み、パスワード入力ならばＯＫボタン７２またはキャンセルボタン７３の入力を待つ。
【００５４】
ステップＳ３６では、パスワード入力エリア７１に入力されたパスワードと、ＳＲＡＭ１０に登録（格納）されているログイン対象のユーザ名のパスワードとが合致するかどうか判断し、合致しない場合には、ステップＳ３７にて例えば「パスワードが異なります」等のエラー表示を行いステップＳ３５に戻り、パスワードが合致する場合にはステップＳ３８にてユーザ認証完了としてＲＡＭ９内のユーザ認証完了フラグに１をセットして処理を終了する。
【００５５】
また、ステップＳ３９では、ユーザ認証キャンセルとしてＲＡＭ９内のユーザ認証完了フラグに０をセットして処理を終了する。
【００５６】
つぎに、ステップＳ２５における第２対象認証処理について説明する。
【００５７】
コントロールユニット４は、ユーザ設定機能フラグ＝０（第２のログインモード）で第２対象認証処理に移行すると、図１２に示すようなＣＰＵ７の制御により生成される操作画像の１つである、ユーザ選択画像８０をＬＣＤ３に表示する。ユーザ選択画像８０は、新規ユーザ登録を実行する新規ユーザアイコン８１と、任意のユーザのログインを許可するためのＡＮＹアイコン８２と、ＳＲＡＭ１０に登録（格納）されているユーザ名に対応した複数のユーザアイコン６１を有しおり、このユーザ選択画像８０により第２対象認証処理が実行される。
【００５８】
第２対象認証処理では、まず、図１３に示すように、ステップＳ４１にて新規ユーザアイコン８１、ＡＮＹアイコン８２あるいはユーザ選択希望（ログイン希望あるいは登録削除希望）のユーザアイコン６１のいずれがリモコン１８の操作により選択されたかを判断する。
【００５９】
そして、新規ユーザアイコン８１が選択された場合はステップＳ４２にて後述する新規ユーザ登録処理が実行され、ＡＮＹアイコン８２が選択された場合はステップＳ４３にて任意のユーザのログイン（使用）を許可し、また、ユーザ選択希望のユーザアイコン６１が選択された場合はステップＳ４４にて後述するユーザ選択処理が実行される。
【００６０】
ステップＳ４２の新規ユーザ登録処理が終了すると、ステップＳ４５にて新規ユーザ登録が完了したかどうかをＲＡＭ９内のユーザ認証完了フラグの状態で判断し、新規ユーザ登録が完了（ユーザ認証完了フラグ＝１）すると、ステップＳ４７にてカレントユーザＩＤ番号を新規ユーザ登録したユーザのＩＤ番号に更新し処理を終了する。
【００６１】
また、ステップＳ４３で任意のユーザのログイン（使用）を許可した後には、ステップＳ４７にてカレントユーザＩＤ番号をＡＮＹに更新し処理を終了する。
【００６２】
さらに、ステップＳ４４のユーザ選択処理が終了すると、ステップＳ４６にてユーザ選択処理でユーザ認証が完了したかどうかをＲＡＭ９内のユーザ認証完了フラグの状態で判断し、ユーザ認証が完了（ユーザ認証完了フラグ＝１）すると、ステップＳ４７にてカレントユーザＩＤ番号をユーザ認証したユーザのＩＤ番号に更新し処理を終了する。
【００６３】
ステップＳ４２の新規ユーザ登録処理に移行すると、図１４に示すように、ユーザ選択画像８０上に新規ユーザ登録ウインドウ９１が展開される。新規ユーザ登録ウインドウ９１は、新規に登録するユーザ名を入力するユーザ名入力エリア９２と、登録するパスワードを入力するパスワード入力エリア９３と、ユーザ名及びパスワードの入力完了を指示するＯＫボタン９４と、ユーザ名及びパスワード入力を中止するキャンセルボタン９５とを有している。
【００６４】
新規ユーザ登録処理処理は、この新規ユーザ登録ウインドウ９１により、図１５に示すように、ステップＳ５１にてユーザがリモコン１８の操作により新規ユーザ登録ウインドウ９１で何を入力したかを判断し、ＯＫボタン９４が入力されたならば、ステップＳ５２にて新規ユーザ登録完了としてＲＡＭ９内のユーザ認証完了フラグに１をセットして処理を終了し、キャンセルボタン９５が入力されたならば、ステップＳ５３にてユーザ認証キャンセルとしてＲＡＭ９内のユーザ認証完了フラグに０をセットして処理を終了し、ユーザ名入力あるいはパスワード入力ならばＯＫボタン９４またはキャンセルボタン９５の入力を待つ。
【００６５】
また、ステップＳ４４のユーザ選択処理に移行すると、図１６に示すように、ユーザ選択画像８０上にユーザ選択ウインドウ１０１が展開される。ユーザ選択ウインドウ１０１は、パスワードを入力するパスワード入力エリア１０２と、ログインのためのパスワードの入力完了を指示するＯＫボタン１０３と、登録ユーザの削除削除のパスワードの入力完了を指示するデリートボタン１０４とを有している。
【００６６】
ユーザ選択処理では、このユーザ選択ウインドウ１０１により、図１７に示すように、ステップＳ６１にてユーザがリモコン１８の操作によりユーザ選択ウインドウ１０１で何を入力したかを判断し、ＯＫボタン１０３が入力されたならばステップＳ６２に進み、デリートボタン１０４が入力されたならばステップＳ６５に進み、パスワード入力ならばＯＫボタン１０３またはデリートボタン１０４の入力を待つ。
【００６７】
ステップＳ６２では、パスワード入力エリア１０２に入力されたパスワードと、ＳＲＡＭ１０に登録（格納）されている対象のユーザ名のパスワードとが合致するかどうか判断し、合致しない場合には、ステップＳ６３にて例えば「パスワードが異なります」等のエラー表示を行いステップＳ６１に戻り、パスワードが合致する場合にはステップＳ６４にてユーザ認証完了としてＲＡＭ９内のユーザ認証完了フラグに１をセットして処理を終了する。
【００６８】
ステップＳ６５では、パスワード入力エリア１０２に入力されたパスワードと、ＳＲＡＭ１０に登録（格納）されている対象のユーザ名のパスワードとが合致するかどうか判断し、合致しない場合には処理を終了し、パスワードが合致する場合にはステップＳ６６にて登録しいるユーザを削除して処理を終了する。
【００６９】
つぎに、第２対象動作モードのシステム動作において任意ユーザに対しては制限され、第１対象動作モードのシステム動作において認証された登録ユーザには解放される、機能の一例について説明する。
【００７０】
メモリカード１９に画像を記録する場合、ＡＮＹでログインした任意ユーザでのシステム動作（第２対象動作モード）では、単にメモリカード１９に画像を記録するだけで、画像のヘッダには日時情報と画像形式情報のみが記録される。一方、認証された登録ユーザでのシステム動作（第１対象動作モード）では、画像のヘッダに日時情報と画像形式情報の他にユーザ名が記録され、さらに画像にユーザ名を示すユーザ名画像を重畳する。
【００７１】
ここで、このユーザ名画像について説明する。認証された登録ユーザでのシステム動作（第１対象動作モード）では、ＣＰＵ７はＲＡＭ９上に、図１８に示すような重畳用フォント２００と、図１９に示すような重畳用フォントテンプレート２０１とからなるフォントデータを生成する。ぞして、図２０に示すように、重畳用フォントテンプレート２０１をビデオ上の重畳すべき座標にＡＮＤし、さらにＡＮＤした座標位置に重畳用フォント２００をＯＲすることで、図２１に示すように、ユーザ名画像２１０を内視鏡画像２１１上に重畳する。
【００７２】
このように内視鏡画像２１１上にユーザ名画像２１０を重畳してメモリカード１９に記録することで、単に内視鏡画像２１１を再生しユーザ名画像２１０を確認すれば、認証されたユーザが記録した画像か、認証を受けていないユーザが記録した画像かを容易に識別することが可能となる。
【００７３】
以上説明したように、本実施例では、コントロールユニット４をユーザ設定機能フラグによって、特定の登録ユーザのみログイン可能な第１対象認証処理を実行し第１対象動作モードでシステムを動作させると共に、登録ユーザあるいは任意ユーザがログイン可能な第２対象認証処理を実行し第１対象動作モードあるいは第２対象動作モードでシステムを動作させるので、検査環境に応じてログイン対象を設定することができる。
【００７４】
すなわち、例えば適切な教育を受けた検査者か、あるいは当該検査を行うに適切な資格の保有者による検査が必要な検査環境の場合には、コントロールユニット４において特定の登録ユーザのみログイン可能な第１対象認証処理の実行を設定することが可能となる。
【００７５】
また、厳しく検査者を管理する必要のない検査環境の場合には、コントロールユニット４において任意ユーザがログイン可能な第２対象認証処理の実行を設定することが可能となる。
【００７６】
本発明は、上述した実施例に限定されるものではなく、本発明の要旨を変えない範囲において、種々の変更、改変等が可能である。
【図面の簡単な説明】
【００７７】
【図１】本発明の実施例１に係る計測用内視鏡装置の構成を示す構成図
【図２】図１の映像信号処理回路の構成を示すブロック図
【図３】図１の音声信号処理回路の構成を示すブロック図
【図４】図１のＳＲＡＭのメモリマップを示す図
【図５】図１のＰＣによるコントロールユニットの設定処理の流れを示すフローチャート
【図６】図５の処理でＰＣ上に展開されるユーザ情報設定画面を示す図
【図７】図１のコントロールユニットにおけるユーザ認証処理の流れを示すフローチャート
【図８】図７の第１モード認証処理でＬＣＤ上に展開されるユーザ選択画像を示す図
【図９】図７の第１モード認証処理の流れを示すフローチャート
【図１０】図９のユーザログイン処理で展開されるログインウインドウを示す図
【図１１】図９のユーザログイン処理の流れを示すフローチャート
【図１２】図７の第２モード認証処理でＬＣＤ上に展開されるユーザ選択画像を示す図
【図１３】図７の第２モード認証処理の流れを示すフローチャート
【図１４】図１３の新規ユーザ登録処理で展開される新規ユーザ登録ウインドウを示す図
【図１５】図１３の新規ユーザ登録処理の流れを示すフローチャート
【図１６】図１３のユーザ選択処理で展開されるユーザ選択ウインドウを示す図
【図１７】図１３のユーザ選択処理の流れを示すフローチャート
【図１８】第２モードのシステム動作において認証された登録ユーザのみに解放された機能の一例を説明する第１の図
【図１９】第２モードのシステム動作において認証された登録ユーザのみに解放された機能の一例を説明する第２の図
【図２０】第２モードのシステム動作において認証された登録ユーザのみに解放された機能の一例を説明する第３の図
【図２１】第２モードのシステム動作において認証された登録ユーザのみに解放された機能の一例を説明する第４の図
【符号の説明】
【００７８】
１…計測内視鏡装置
２…内視鏡
３…ＬＣＤ
４…コントロールユニット
６…挿入部駆動ユニット
７…ＣＰＵ
８…ＲＯＭ
９…ＲＡＭ
１０…ＳＲＡＭ
１３…ＲＳ−２３２Ｃ  Ｉ／Ｆ
１４…ＰＣカード  Ｉ／Ｆ
１５…ＵＳＢ  Ｉ／Ｆ
１６…映像信号処理回路
１７…音声信号処理回路
１８…リモコン
１９…ＰＣ（メモリ）カード
２０…ＰＣ
代理人    弁理士    伊藤  進
【図１】
2006204620.tif 000003
【図２】
2006204620.tif 000004
【図３】
2006204620.tif 000005
【図４】
2006204620.tif 000006
【図５】
2006204620.tif 000007
【図６】
2006204620.tif 000008
【図７】
2006204620.tif 000009
【図８】
2006204620.tif 000010
【図９】
2006204620.tif 000011
【図１０】
2006204620.tif 000012
【図１１】
2006204620.tif 000013
【図１２】
2006204620.tif 000014
【図１３】
2006204620.tif 000015
【図１４】
2006204620.tif 000016
【図１５】
2006204620.tif 000017
【図１６】
2006204620.tif 000018
【図１７】
2006204620.tif 000019
【図１８】
2006204620.tif 000020
【図１９】
2006204620.tif 000021
【図２０】
2006204620.tif 000022
【図２１】
2006204620.tif 000023